(57)【要約】リモートコントロールデバイス（１１２）は、電子デバイス（１３０、１４０、１５０、１６０、１７０）を無線で制御するためにユーザ入力を受けるように構成されている回路と、前記回路に電力を供給するために電気的に結合されている電源（３１２）と、前記少なくとも１つの電子デバイスの状態に基づいて前記回路の電力状態を制御するように構成されている電力状態コントローラ（３００）、を含み得る。電子デバイスは、リモートコントロールデバイスによって制御されるように構成され得て、少なくとも１つの無線信号を前記リモートコントロールデバイスから受信するように構成された入力デバイス（１１０）と、無線信号を前記リモートコントロールデバイスに送信するように構成された出力デバイスと、前記入力デバイスに結合されたプロセッサ（２００）を含み得る。プロセッサは、受信信号に基づいて前記電子デバイスの機能を制御し、前記電子デバイスの状態に関する情報を画定し（Ｓ４２０）、前記電子デバイスの前記状態に関する前記画定された情報を前記リモートコントロールデバイスに送信する（Ｓ４４０）ように構成され得る。
2011515995.tif 000002
【特許請求の範囲】
【請求項１】
少なくとも１つの電子デバイスを無線で制御するためのユーザ入力を受けるように構成されている回路と、
前記回路に電力を供給するために電気的に結合されている電源と、
前記少なくとも１つの電子デバイスの状態に基づいて前記回路の電力状態を制御するように構成されている電力状態コントローラ、
を含むリモートコントロールデバイス。
【請求項２】
前記電力状態コントローラは、前記少なくとも１つの電子デバイスに対応する制御対象の部分が使用中ではないとき、前記回路の少なくとも一部をスタンバイまたはオフパワー状態にするように構成されている、請求項１のデバイス。
【請求項３】
ユーザ入力を受けるように構成されている前記回路は、主電子デバイスを無線で制御するための回路および少なくとも１つの補助電子デバイスを無線で制御するための回路を含み、
前記電力状態コントローラは、前記主電子デバイスの状態に基づいて前記主電子デバイスを制御するための前記回路の電力状態を制御し、
前記少なくとも１つの補助電子デバイスの状態に基づいて前記少なくとも補助電子デバイスを制御するための前記回路の電力状態を制御するように構成されている、請求項１のデバイス。
【請求項４】
前記電力状態コントローラは、前記主電子デバイスを制御するための前記回路の少なくとも一部を、前記主電子デバイスの対応対象の制御される部分が使用中ではないとき、スタンバイまたはオフパワー状態にするように構成されている、請求項３のデバイス。
【請求項５】
前記電力状態コントローラは、前記少なくとも１つの電子デバイスの前記状態に関する情報を、前記少なくとも１つの電子デバイスの前記状態に関する情報のために前記少なくとも１つの電子デバイスをポーリングすることによって取得するように構成されている、請求項１のデバイス。
【請求項６】
前記電力状態コントローラは、前記少なくとも１つの電子デバイスの前記状態に関する情報のために前記少なくとも１つの電子デバイスを、前記回路の少なくとも一部がスタンバイまたはオフパワー状態の少なくとも１つであるとき、ポーリングするように構成されている、請求項５のデバイス。
【請求項７】
前記電力状態コントローラは、前記少なくとも１つの電子デバイスを周期的にポーリングするように構成されている、請求項６のデバイス。
【請求項８】
前記電力状態コントローラは、前記少なくとも１つの電子デバイスを、前記リモートコントロールデバイスがユーザによってコンタクトされているときにポーリングするように構成されている、請求項６のデバイス。
【請求項９】
リモートコントロールデバイスによって制御されるように構成された電子デバイスであって、
少なくとも１つの無線信号を前記リモートコントロールデバイスから受信するように構成された入力デバイスと、
少なくとも１つの無線信号を前記リモートコントロールデバイスに送信するように構成された出力デバイスと、
前記入力デバイスに結合され、前記入力デバイスによって受信された前記少なくとも１つの無線信号に基づいて前記電子デバイスの少なくとも１つの機能を制御するように構成され、前記電子デバイスの状態に関する情報を画定するように構成され、および前記電子デバイスの前記状態に関する前記画定された情報を前記入力デバイスを介して前記リモートコントロールデバイスに送信するように構成されたプロセッサ、
を含む電子デバイス。
【請求項１０】
前記プロセッサは、前記電子デバイスの複数の機能の状態に関する情報を画定するように構成されている、請求項９の電子デバイス。
【請求項１１】
さらに、前記プロセッサに結合された少なくとも１つの補助入力デバイスであって、前記補助入力デバイスに結合された補助デバイスの状態に関する情報を受信するように構成されているデバイス、を含み、前記プロセッサは、前記リモートコントロールデバイスに前記出力デバイスを介して前記補助デバイスの前記状態に関する情報を送信するように構成されている、請求項９の電子デバイス。
【請求項１２】
前記電子デバイスはそれぞれの補助デバイスを制御するように構成されている複数のリモートコントロールデバイスによって制御されるように構成され、
前記電子デバイスは、前記プロセッサに結合され、前記補助入力デバイスの対応する１つに結合された前記それぞれの補助デバイスの状態に関する情報を受信するように構成された複数の補助入力デバイスを含み、
前記プロセッサは前記それぞれの補助デバイスの前記状態に関する情報を、前記出力デバイスを介して前記それぞれのリモートコントロールデバイスに送信するように構成されている、請求項９の電子デバイス。
【請求項１３】
少なくとも１つの電子デバイスを無線で制御するためにユーザ入力を受けるように構成されている回路を含むリモートコントロールデバイスの電力状態を制御する方法であって、
前記少なくとも１つの電子デバイスの状態を画定することと、
前記少なくとも１つの電子デバイスの前記画定された状態に基づいて前記リモートコントロールデバイスの前記回路の電力状態を制御すること、
を含む方法。
【請求項１４】
前記回路の前記電力状態を制御することは、前記回路の少なくとも一部を、前記少なくとも１つの電子デバイスの対応する制御される部分が使用中ではないと画定されたときに、スタンバイまたはオフパワー状態の少なくとも１つにすること、を含む請求項１３の方法。
【請求項１５】
ユーザ入力を受けるように構成された前記回路は、主電子デバイスを無線で制御するための回路および少なくとも１つの補助電子デバイスを無線で制御するための回路を含み、前記回路の前記電力状態を制御することは、前記主電子デバイスの状態に基づいて前記主電子デバイスを制御するための前記回路の電力状態を制御すること、および前記少なくとも１つの補助電子デバイスの状態に基づいて前記少なくとも１つの補助電子デバイスを制御するための前記回路の電力状態を制御することを含む、請求項１３の方法。
【請求項１６】
前記主電子デバイスを制御するために前記回路の前記電力状態を制御することは、前記主電子デバイスを制御するための前記回路の少なくとも一部を、前記主電子デバイスの対応する制御される部分が使用中ではないとき、スタンバイまたはオフパワー状態の少なくとも１つにすること、を含む請求項１５の方法。
【請求項１７】
さらに、前記少なくとも１つの電子デバイスの前記状態に関する情報を、前記少なくとも１つの電子デバイスの前記状態に関する情報のために前記少なくとも１つの電子デバイスをポーリングすることによって取得することを含む、請求項１３の方法。
【請求項１８】
記少なくとも１つの電子デバイスの前記状態に関する情報のために前記少なくとも１つの電子デバイスをポーリングすることは、少なくとも前記回路の少なくとも一部がスタンバイまたはオフパワー状態の少なくとも１つであるときに実施される、請求項１７の方法。
【請求項１９】
前記少なくとも１つの電子デバイスをポーリングすることは、周期的に実施される、請求項１８の方法。
【請求項２０】
前記少なくとも１つの電子デバイスをポーリングすることは、少なくとも前記リモートコントロールデバイスがユーザによってコンタクトされているときに実施される、請求項１８の方法。
【発明の詳細な説明】
【技術分野】
【０００１】
本発明は一般的にリモートコントロール電子機器に関し、特にリモートコントロール電子機器の電力状態を制御するためのシステムおよび方法に関する。
【背景技術】
【０００２】
家電デバイスにおける進歩は、遠隔的に、すなわちデバイスから遠くで、付随のリモートコントロールを用いて操作され得るような非常に多様なデバイスを導いてきた。さらに、ユニバーサル且つ学習するリモートコントロールが開発され、ユーザが１つのリモートコントロールを用いて遠隔的に１つ以上のデバイスを操作するおよび／または１つ以上のリモートコントロールを代行することが可能になった。
【０００３】
ほとんどのリモートコントロールは、対応する制御されるデバイスまたは複数のデバイスの様々な機能をユーザが選択するための、キーパッドおよびタッチパッドのような、ユーザインターフェイスを有するハンドヘルドデバイスである。また、幾つか有線のリモートコントロールが存在するが、ほとんどのリモートコントロールは、ユーザが対応するデバイス（または複数のデバイス）をそこから制御することを望み得る場所への携帯を容易にするために、無線の、バッテリで駆動するデバイスである。一般の無線リモートコントロールは、赤外、電波、他のような様々な公知の無線モードを介して制御されるデバイスと通信するように構成されている。
【０００４】
リモートコントロールの複雑さは、制御されるデバイスの複雑さが増加すると共に増加してきた。ユーザが付随するリモートコントロールを介して制御されるデバイスの実質的なまたは完全な機能性を期待するなど、消費者の要求が、それらの複雑さの少なくとも部分的な、駆動力となっていた。
【発明の概要】
【０００５】
リモートコントロールにおける増加した複雑さおよび機能性は、そのようなデバイスにおける電力消費の付随する増加を伴う。しかしながら、より大きなバッテリを搭載するためにリモートコントロールのサイズおよび／または重量を増加することは好ましくないであろうし、また長いバッテリ寿命で必要な電力を供給し得る、より費用の掛かるバッテリオプションを使用することも好ましくないであろう。
【０００６】
よって、本明細書中で開示される様々なシステムおよび方法は、電力消費を減少させるためにリモートコントロール電子機器の電力状態を制御し得る。例えば、本明細書中で開示される様々なシステムおよび方法は、リモートコントロールの電子機器の１つ以上の部分を選択的に、スタンバイ（すなわち、低電力）またはオフパワー（ｏｆｆ  ｐｏｗｅｒ）状態にし得る。様々な実施形態では、リモートコントロール電子機器の部分（複数の部分）の電力状態（複数の電力状態）が、関連するデバイス、すなわちリモートコントロールのその部分（複数の部分）を用いて制御されるデバイスの状態に基づいて制御され得る。
【０００７】
一つの実施形態は、リモートコントロールデバイスの形態を取り得る。前記リモートコントロールデバイスは：少なくとも１つの電子デバイスを無線で制御するためにユーザ入力を受けるように構成されている回路と；前記回路に電力を供給するために電気的に結合されている電源と；前記少なくとも１つの電子デバイスの状態に基づいて前記回路の電力状態を制御するように構成されている電力状態コントローラ、を含み得る。実施形態によっては、前記電力状態コントローラは、前記少なくとも１つの電子デバイスの対応する制御される部分が使用中ではないとき、前記回路の少なくとも一部をスタンバイまたはオフパワー状態にするように構成され得る。
【０００８】
実施形態によっては、ユーザ入力を受けるように構成されている前記回路は、主電子デバイスを無線で制御するための回路および少なくとも１つの補助電子デバイスを無線で制御するための回路を含み、かつ、前記電力状態コントローラは、前記主電子デバイスの状態に基づいて前記主電子デバイスを制御するための前記回路の電力状態を制御し、前記少なくとも１つの補助電子デバイスの状態に基づいて前記少なくとも補助電子デバイスを制御するための前記回路の電力状態を制御するように構成され得る。
【０００９】
実施形態によっては、前記電力状態コントローラは、前記少なくとも１つの電子デバイスの前記状態に関する情報を、前記電子デバイス（複数のデバイス）の前記状態に関する情報のために前記電子デバイス（複数のデバイス）をポーリングすることによって取得するように構成され得る。そのような実施形態では、前記電力状態コントローラは、前記電子デバイス（複数のデバイス）の前記状態に関する情報のために、前記回路の少なくとも一部がスタンバイまたはオフパワー状態の少なくとも１つであるとき、少なくとも１つの電子デバイスを、ポーリングするように構成され得る。前記電力状態コントローラは、前記少なくとも１つの電子デバイスを周期的にポーリングするように構成され得る。代替としてまたは追加として、前記電力状態コントローラは、前記少なくとも１つの電子デバイスを、前記リモートコントロールデバイスがユーザによってコンタクトされている（ユーザと通信している）ときにポーリングするように構成され得る。
【００１０】
別の実施形態は、リモートコントロールデバイスによって制御されるように構成された電子デバイスの形態を取り得る。前記電子デバイスは：少なくとも１つの無線信号を前記リモートコントロールデバイスから受信するように構成された入力デバイスと；少なくとも１つの無線信号を前記リモートコントロールデバイスに送信するように構成された出力デバイスと；前記入力デバイスに結合され、前記入力デバイスによって受信された前記少なくとも１つの無線信号に基づいて前記電子デバイスの少なくとも１つの機能を制御するように構成され、前記電子デバイスの状態に関する情報を画定するように構成され、および前記電子デバイスの前記状態に関する前記画定された情報を前記入力デバイスを介して前記リモートコントロールデバイスに送信するように構成されたプロセッサ、を含み得る。ある実施形態では、プロセッサは電子デバイスの複数の機能の状態に関する情報を画定するように構成されても良い。
【００１１】
実施形態によっては、前記電子デバイスはさらに、前記プロセッサに結合された少なくとも１つの補助入力デバイスであって、前記補助入力デバイスに結合された補助デバイスの状態に関する情報を受信するように構成されているデバイス、を含み得る。そのような実施形態では、前記プロセッサは、前記リモートコントロールデバイスに前記出力デバイスを介して前記補助デバイスの前記状態に関する情報を送信するように構成され得る。
【００１２】
実施形態によっては、前記電子デバイスはそれぞれの補助デバイスを制御するように構成されている複数のリモートコントロールデバイスによって制御されるように構成され得る。そのような実施形態では、前記電子デバイスは、前記プロセッサに結合され、前記補助入力デバイスの対応する１つに結合された前記ぞれぞれの補助デバイスの前記状態に関する情報を受信するように構成された複数の補助入力デバイスを含み得る。さらに、前記プロセッサは前記それぞれの補助デバイスの前記状態に関する情報を、前記出力デバイスを介して前記それぞれのリモートコントロールデバイスに送信するように構成され得る。
【００１３】
別の実施形態は、少なくとも１つの電子デバイスを無線で制御するためにユーザ入力を受けるように構成されている回路を含むリモートコントロールデバイスの電力状態を制御する方法の形態を取り得る。前記方法は：前記少なくとも１つの電子デバイスの状態を画定することと；前記少なくとも１つの電子デバイスの前記画定された状態に基づいて前記リモートコントロールデバイスの前記回路の電力状態を制御すること、を含み得る。実施形態によっては、前記回路の前記電力状態を制御することは、前記回路の少なくとも一部を、前記少なくとも１つの電子デバイスの対応する制御される部分が使用中ではないと画定されたときに、スタンバイまたはオフパワー状態の少なくとも１つにすること、を含み得る。
【００１４】
実施形態によっては、ユーザ入力を受けるように構成された前記回路は、主電子デバイスを無線で制御するための回路および少なくとも１つの補助電子デバイスを無線で制御するための回路を含んでもよい。そのような実施形態では、前記回路の前記電力状態を制御することは、前記主電子デバイスの状態に基づいて前記主電子デバイスを制御するために前記回路の電力状態を制御すること、および前記少なくとも１つの補助電子デバイスの状態に基づいて前記少なくとも１つの補助電子デバイスを制御するために前記回路の電力状態を制御することを含み得る。
【００１５】
実施形態によっては、前記方法はさらに、前記少なくとも１つの電子デバイスの前記状態に関する情報を、前記少なくとも１つの電子デバイスの前記状態に関する情報のために前記少なくとも１つの電子デバイスをポーリングすることによって取得することを含み得る。実施形態によっては、少なくとも１つの電子デバイスの状態に関する情報のために少なくとも１つの電子デバイスをポーリングすることは、回路の少なくとも一部分がスタンバイもしくはオフパワー状態の場合に実行され得る。そのような前記少なくとも１つの電子デバイスをポーリングすることは、周期的に実施され得る。代替としてまたは追加として、前記少なくとも１つの電子デバイスをポーリングすることは、少なくとも前記リモートコントロールデバイスがユーザによってコンタクトされているときに実施され得る。
【図面の簡単な説明】
【００１６】
【図１】本明細書中に記載されている実施形態が使用され得る家庭娯楽システムの概略の図である。
【図２】本明細書中に記載されているシステムおよび方法中で使用され得るセットトップボックス／受信機のブロック図である。
【図３】本明細書中に記載されているシステムおよび方法中で使用され得るリモートコントロールデバイスのブロック図である。
【図４】リモートコントロールデバイスによって制御される電子デバイスの状態に基づいてリモートコントロールデバイスの回路の電力状態を制御する方法を示すフローチャートである。
【発明を実施するための最良の形態】
【００１７】
以下では、無線リモートコントロールデバイス中の電力消費を減らすために用いられ得るシステムおよび方法の様々な実施形態を記載する。特定の実施形態が詳細に記載され得るが、開示された実施形態は、本明細書で与えられる開示の範囲の制限するように解釈されるべきでもなく、またはさもなければ制限するために用いられるべきではない。以下の記載は、広い適用範囲を有しており、特定の実施形態の議論は、単に例示であること、および、本開示によって予想され包囲される実施形態のみを表すことは意図されていないことは理解されよう。本明細書中の様々な“回路”の参照は、限定はされないが、有線の回路、配線（トレース）、集積回路、プロセッサ、メモリ、ディスプレイ、インターフェイス等、リモートコントロール電子機器ではよく知られているような、ユーザ入力を受けその入力に従って電子デバイスを制御するための出力を生成するために用いられ得るものを含むことは理解されよう。
【００１８】
上で議論したように、本明細書中に開示されている様々なシステムおよび方法は、電力消費を減らすためにリモートコントロール電子機器の電力状態を制御し得る。無線リモートコントロールデバイスは、１つ以上のバッテリによって与えられる、限りある電力供給に依存するので、そのようなリモートコントロールデバイス中の電力消費を減らすことは、バッテリを再充電および／または交換することなく、リモートコントロールデバイスの使用を長くし得る。このことは、多数の回路および／または比較的大きな電力要求を有する回路を含むリモートコントロールデバイスに対しては特に真である。例えば、リモートコントロールデバイスは、学習能力を有するまたは有しない複数の電子デバイスを制御するための回路を含み得るし、タッチパッド、ディスプレイ、ポインタ回路、ジャイロスコープ、加速度計、他のような、より大量の電力を消費するフィーチャ（特徴）を含み得る。
【００１９】
一般に、リモートコントロールのエレクトロニクスの１つ以上の部分を、そのような部分（複数の部分）が要求されていないときは、スタンバイ（すなわち、低電力）またはオフパワー（ｏｆｆ  ｐｏｗｅｒ）状態にすることが好ましいかも知れない。例えば、リモートコントロール電子機器の部分（複数の部分）の電力状態（複数の電力状態）を、関連するデバイス、即ち、リモートコントロールの部分（複数の部分）を用いて制御されるデバイスの状態に基づいて制御することによって、リモートコントロールデバイスの電力消費を減らし得るまたは最小化さえし得る。
【００２０】
本明細書中に記載されているシステムおよび方法は、たとえば、図１に示されているような、家庭娯楽（ホームエンターテイメント）システム１００中で使用され得る。もちろん、家庭娯楽システムおよびそのコンポーネントは単に、本明細書中で記載されるシステムおよび方法が適用され得る電子デバイスの例に過ぎないことは理解されよう。よって、リモートコントロールデバイスを介して無線で制御される任意の電子デバイスが、そのようなシステムおよび方法からの恩恵を受け得ることは理解されよう。
【００２１】
示されているように、家庭娯楽システム１００は、主電子デバイスとして、セットトップボックス（ＳＴＢ）または受信機１１０を含み得る。リモートコントロールデバイス１１２は、以下で議論するように、ＳＴＢ／受信機１１０と共に、家庭娯楽システム１００の他のコンポーネントを無線で制御するように構成され得る。ＳＴＢ／受信機１１０は、家庭娯楽システム１００の様々な他のコンポーネントに相互接続するための“ハブ”またはセントラルデバイス（中心的機器）として動作するように構成され得る。本明細書中に記載されているように、これは様々なコンポーネントに対する状態情報を画定すること、およびそのような情報をリモートコントロールデバイス１１２に提供することを容易にし得る。
【００２２】
ＳＴＢ／受信機１１０は、アンテナ１８０（もしくは、ケーブル、ファイバーオプティクス、他）および／またはサテライトディッシュ（衛星受信用アンテナ）１９０であって、それぞれ放送源１８２からの無線（ｏｖｅｒ−ａｉｒ）信号および衛星源１９２からの衛星信号を受信するように構成されているアンテナおよび／またはサテライトディッシュから入力を受ける（受信する）ように構成され得る。家庭娯楽システム１００の基本的配置は、ＳＴＢ／受信機１１０、アンテナ１８０およびサテライトディッシュ１９０の一つ、およびテレビ（ＴＶ）／モニタ１２０を含み得る。典型的には、アンテナ１８０および／またはサテライトディッシュ１９０ならびにＴＶ／モニタ１２０はＳＴＢ／受信機１１０に結合され、放送源１８２および／または衛星源１９２からのテレビ番組はテレビモニタ１２０上に表示され得る。
【００２３】
そのような配置では、リモートコントロールデバイス１１２は、ＳＴＢ／受信機１１０と共にＴＶ／モニタ１２０を制御するように構成され得る。示されていないが、ＳＴＢ／受信機１１０は、例えば、複数の部屋への配置のための複数のＴＶ／モニタ１２０に結合されていることは想像されよう。そのような場合、複数のリモートコントロールデバイス１１２が使用され得て、それぞれはＴＶ／モニタ１２０の１つと関連し得る。
【００２４】
図１に示されているように、家庭娯楽システム１００の追加のコンポーネントは、ビデオカセットレコーダ（ＶＣＲ）１３０、デジタルビデオディスク（ＤＶＤ）プレーヤ／レコーダ１４０、ステレオ１５０、デジタルビデオレコーダ（ＤＶＲ）、およびゲームステーション１７０を含み得る。そのような電子デバイスは単に例であり、よって限定的でも、または網羅的でもないことは理解されよう。さらに、これらのコンポーネントの各々はＳＴＢ／受信機１１０に結合されているとして示されているが、ゲームステーション１７０、ステレオのプロセッサ１５０、パーソナルコンピュータ他などの異なる電子デバイスが、他の電子デバイスに結合された主電子デバイスまたは中心的電子デバイスとして機能しても良い。さらに下で記載するように、リモートコントロールデバイス１１２は、補助デバイスとしてのコンポーネント１３０、１４０、１５０、１６０、１７０の各々を制御するように構成されている回路を含み得る。
【００２５】
様々な他のコンポーネントを相互接続するための主電子デバイスとして動作するように構成されたＳＴＢ／受信機１１０の場合では、ＳＴＢ／受信機１１０の一実施形態は、図２に示されているようなフィーチャ（特徴）を含み得る。ＳＴＢ／受信機１１０は、リモートコントロールデバイス１１２に無線で通信するように構成されているリモート入出力（Ｉ／Ｏ）デバイス２０２に結合されているプロセッサまたは中央処理装置（ＣＰＵ）２００を含み得る。リモートＩ／Ｏデバイス２０２は、赤外、高周波（ＲＦ）、他のような、あらゆる公知のまたは将来的に発展する方法で、リモートコントロールデバイス１１２から情報を受け取る、およびリモートコントロールデバイス１１２に情報を送ることが可能な１つ以上のデバイスであって良いことは理解されよう。さらに、ＣＰＵ２００は、本明細書中で議論されているものに加えて、ＳＴＢ／受信機１１０の様々な動作および機能を実施するおよび／または制御するように構成されているＳＴＢ／受信機１１０のメインプロセッサであって良い、または例えば、本明細書中に記載されているリモートコントロールデバイス１１２の回路の電力状態を制御することに関連する動作および機能に特化された別個のプロセッサであっても良いことは理解されよう。
【００２６】
ＣＰＵ２００は、本明細書中で議論されているように、様々なコンポーネント１２０、１３０、１４０、１５０、１６０、１７０と通信をするように構成されている１つ以上の補助入出力（Ｉ／Ｏ）デバイス２０４１、２０４２、．．．、２０４Ｎに結合され得る。さらに、ＣＰＵ２００は、ＳＴＢ／受信機１１０および／またはそれに結合されている様々なコンポーネントに関する情報を記憶するように構成されているメモリ２０６に結合され得る。
【００２７】
適切であるか望ましければ複数のリモートコントロールデバイスを含む配置に拡張され得る、単一のリモートコントロールデバイス１１２の場合では、リモートコントロールデバイス１１２の一実施形態は図３中に示されている。リモートコントロールデバイス１１２は、ＳＴＢ／受信機１１０と無線で通信するように構成されているリモートコントロール入出力（Ｉ／Ｏ）デバイス３０２に結合された電力状態コントローラ３００を含み得る。電力状態コントローラ３００は、本明細書中に記載されている動作および機能を実施することが可能な、いかなる適切なコントローラ、プロセッサ、回路等であり得ることは理解されよう。さらに、リモートコントロールＩ／Ｏデバイス３０２は、赤外、高周波（ＲＦ）、他のような、あらゆる公知のまたは将来的に発展する方法で、ＳＴＢ／受信機１１０から情報を受ける（受信する）、およびＳＴＢ／受信機１１０に情報を送る（送信する）ことが可能な１つ以上のデバイスであってよいことは理解されよう。
【００２８】
リモートコントロールデバイス１１２はさらに、様々な電子デバイスおよびそれらの機能を制御するためのユーザ入力を受けるように構成された様々な回路を含み得る。上で議論したように、用語“回路”は、有線の回路および集積回路に加え、タッチパッドおよびディスプレイのようなフィーチャを含むことが意図されている。リモートコントロールデバイス１１２は、例えば、ＳＴＢ制御回路３０４、タッチパッド回路３０６、およびポインタ回路３０８を含み得る。ＳＴＢ制御回路３０４は、ＳＴＢ／受信機１１０の様々な機能を制御するためのユーザ入力を受けるように構成され得る。タッチパッド回路３０６は、指、スタイラス等を介して、ユーザ入力を受けるように構成されている領域であっても良いし、適切であるか望ましければ、１つ以上の電子デバイスを制御するように構成されていても良い。ポインタ回路３０８は、たとえば、オンスクリーンメニューのアイテムでリモートコントロールデバイス１１２を動かして指し示し（ポイントし）および／またはそのカーソルを制御することによって、ＴＶ／モニタ１２０上に表示されるオンスクリーンメニューと相互作用するように構成され得る。
【００２９】
リモートコントロールデバイス１１２はまた、コンポーネント１２０、１３０、１４０、１５０、１６０、および／または１７０などを制御するように構成されている、複数の補助電子デバイスの各々に対する補助デバイス制御回路３１０１〜３１０Ｎを含み得る。補助デバイス制御回路３１０１〜３１０Ｎの各々、ＳＴＢ制御回路３０４、タッチパッド回路３０６、およびポインタ回路３０８は、電力状態コントローラ３００に結合され得る。電力状態コントローラ３００は次に、バッテリなどの電源３１２に結合され、よって回路の各々の電力状態（たとえば、オン、オフ、スタンバイ）は、電力状態コントローラ３００によって制御され得る。
【００３０】
たとえば、ＳＴＢ／受信機１１０のＣＰＵ２００は、ＳＴＢ／受信機１１０の状態に関する情報を画定する、またはさもなければ取得して、メモリ２０６中に状態情報を記憶し得る。状態情報は、たとえば、ＳＴＢ／受信機１１０がオンであること、ＳＴＢ／受信機１１０がオフ（またはスタンバイ）であることと共に、ＳＴＢ／受信機１１２の特定のフィーチャまたは機能がオン／アクティブ／使用中である、またはオフ／インアクティブ／使用中ではない、を含み得る。
【００３１】
リモートコントロールデバイス１１２の電力状態コントローラ３００は、ＳＴＢ／受信機１１２の状態に関する情報のためにリモートコントロールＩ／Ｏ３０２を介してＳＴＢ／受信機１１２をポーリングまたは照会し得る。応答して、ＳＴＢ／受信機１１０のＣＰＵ２００は、メモリ２０６中に記憶されているＳＴＢ／受信機１１２の現在の状態情報を、リモートＩ／Ｏ２０２を介してリモートコントロールデバイス１１２に送信し得る。
【００３２】
ＳＴＢ／受信機１１２に対する受信した状態情報に基づき、電力状態コントローラ３００は、ＳＴＢ制御回路３０４と共に、タッチパッド回路３０６および／またはポインタ回路３０８などの、ＳＴＢ／受信機１１２またはその機能を制御するように構成されているあらゆる他の回路を設定し得るまたはさもなければ制御し得る。
【００３３】
たとえば、ＳＴＢ／受信機１１２に関する状態情報が、ＳＴＢ／受信機１１２はオフまたはスタンバイモードにあることであるとき、電力状態コントローラ３００は、ＳＴＢ制御回路３０４の電力状態を、オフまたはスタンバイに制御するまたは設定し得て、したがって回路が電極供給を必要とせず、オフまたはスタンバイモードのＳＴＢ／受信機１１２を用いてユーザ入力を受けることが可能である。ＳＴＢ／受信機１１２に関する状態情報はまた、ＳＴＢ／受信機１１２のフィーチャおよび／または機能に特有のものであり得て、特定のフィーチャがオフ／インアクティブ／使用中ではないとき、その特定のフィーチャを制御するように構成されるＳＴＢ制御回路３０４の対応する部分は、そのような部分がオン／アクティブ／使用中である別のフィーチャを制御するために用いられないと仮定して、オフまたはスタンバイ電力状態になり得る。たとえば、もしポインタ回路３０８がオンスクリーンメニューなど、ある特定のフィーチャをしか制御しないか／ある特定のフィーチャとの相互作用しかしないように構成されているならば、ポインタ回路３０８は、オンスクリーンメニューがオン／アクティブ／使用中、ではないとき、オフまたはスタンバイ電力状態にされ得る。
【００３４】
ＣＰＵ２００および電力状態コントローラ３００の動作は同様に、補助Ｉ／Ｏデバイス２０４１−Ｎに結合され、補助デバイス制御回路３１０１−Ｎを介して制御されるように構成されている他の電子デバイスに拡張され得る。たとえば、ＣＰＵ２００は、各補助電子デバイスに関する状態情報を対応する補助Ｉ／Ｏデバイス２０４１−Ｎを介して取得し、そのような状態情報をメモリ２０６に記憶しても良い。電力状態コントローラ３００は、ＳＴＢ／受信機１１２からその状態情報を取得し、その状態情報に基づいて対応する回路３１０１−Ｎまたはその１つ以上の部分を制御してもよく、または設定しても良い。上で述べたように、そのような状態情報は、タッチパッド回路３０６および／またはポインタ回路３０８のような他の回路の電力状態を、そのような回路が補助デバイスの１つ以上の機能を制御するように構成されているときに、電力状態コントローラ３００が制御するまたは設定するために用いても良い。
【００３５】
よって、一般に、電力状態コントローラ３００は、リモートコントロールデバイス１１２の様々な回路の電力状態を、その回路が制御するように構成されている電子コンポーネントおよび／またはその機能に関する状態情報に基づいて制御するように構成され得る。上述のように複数のリモートコントロールデバイス１１２の場合には、個々のリモートコントロールデバイスの各々が制御するように構成されている電子デバイスのみに関係する状態情報が、個々のリモートコントロールデバイスに提供され得る。
【００３６】
様々な方法が、先の議論に基づいて明らかであろうが、方法の一例が図４のフローチャート中に与えられている。プロセスはＳ４１０で始まり、電子デバイスの現在の状態が画定され得るＳ４２０に続き得る。たとえば、ＳＴＢのような電子デバイスは、“オン”または“オフ”またはメニューが表示されているかどうかなどの、様々な状態に気付いているファームウェアを含み得る。上述のように、現在の状態を画定することは、１つ以上のデバイスに対してと共に、デバイス（複数のデバイス）の個々のフィーチャおよび／または機能に対してであって良い。
【００３７】
Ｓ４３０では、上述のようなＳＴＢ／受信機またはハブ／セントラル／主デバイスとして動作するように構成されたあらゆる他のデバイスなどの電子デバイスは、状態情報のためにポーリングされ得る。そのようなポーリングは、特にリモートコントロールデバイスが全般的にスタンバイ状態にあるとき、周期的であっても良い。たとえば、電力状態コントローラはそれ自身、オフまたはスタンバイ電力モードにされ、電子デバイスをポーリングするために周期的に“起き”ても良い。代替としてまたは追加として、リモートコントロールデバイスは、リモートコントロールデバイスが、たとえば、組み込まれた同時係属中の出願番号（弁護士側整理番号ＥＳ−１１１３）中に記載されているように、ユーザ入力を受けることによっておよび／または人間の接触を検知することによって、ユーザからコンタクトされている（ユーザと通信している）ときに、状態情報のために電子デバイスをポーリングするように構成されていても良い。
【００３８】
代替としてまたは追加として、状態情報は、その情報を、たとえば、リモートコントロールからの命令信号に応じて、リモートコントロールに伝達する通信プロトコル中のメッセージを介して通信されても良い。たとえば、もしユーザがリモートコントロール上の“ガイド（ＧＵＩＤＥ）”ボタンを押すならば、ＳＴＢはプログラムガイドを表示しても良いし、リモートコントロールに“ガイドはオンである”ことを知らせても良い。ユーザが、たとえば、リモートコントロール上の“選択（ＳＥＬＥＣＴ）”または“入力（ＥＮＴＥＲ）”ボタンを押すことによって、プログラム選択をするとき、ＳＴＢは選択されたチャンネルに同調され、ディスプレイからプログラムガイドを削除し、リモートコントロールに“ガイドはオフである”ことを知らせても良い。
【００３９】
ＳＴＢまたはハブ／セントラル／主デバイスとして動作するように構成されたあらゆる他のデバイスは、状態情報を取得するためにおよび／またはデバイスの制御をするために、他の電子デバイスと通信しても良いことは理解されよう。たとえば、そのような通信は、ＣＥＣ（コンシューマー電子機器制御）として参照されるＨＤＭＩ（高精細マルチメディアインターフェイス）へのオプションの拡張を用いて実施されても良い。コンプライアントデバイスは、この技術を用いて状態情報を通信し、ＳＴＢまたは他の“ハブ”がそのような情報をリモートコントロールに中継（リレー）することを許容し得る。一般に、状態情報は、任意の適切な方法またはデバイス（複数のデバイス）およびリモートコントロールによってサポートされている通信プロトコルで通信され得る。
【００４０】
一旦、状態情報がリモートコントロールデバイスによって受信されると、Ｓ４４０で、リモートコントロールデバイスの回路の電力状態は、そのような情報に基づいて設定され得る。上述のように、特定の電子デバイスを制御するための回路の全部分、もしくは、特定の電子デバイスを制御するための回路の選択された部分の電力状態は、全て、対応する電子デバイスの状態に基づいて、設定され得る。
【００４１】
最後に、プロセスは、Ｓ４５０で終了するか／またはＳ４１０に戻り得る。上述のように、電子デバイスのポーリングは、周期的であるまたはさもなければ起動され得る。同様に、電子デバイスおよび／または電子デバイスに結合された補助電子デバイスの状態情報は取得され、リモートコントロールデバイスによって開始されるおよび／または各々のデバイス（複数のデバイス）の状態情報の変化によって開始されるなど、周期的にアップデートされても良い。
【００４２】
図４のフローチャートは単に一例であり、動作の追加、動作の省略、および／または動作の順序の変更などがされた、他の方法が考えら得ることは理解されよう。たとえば、図４のフローチャートは、電子デバイス（複数のデバイス）の可能な電力状態（複数の電力状態）またはリモートコントロールデバイス（複数のリモートコントロールデバイス）の回路の可能な電力状態（複数の電力状態）の様々な“始まりの”設定を示していない。代わりに、動作の任意の適切なフローが、電子デバイスおよびリモートコントロールデバイス（複数のリモートコントロールデバイス）の所与の配置に対して本明細書中に与えられた記載に基づいて、適切にまたは望ましいように画定されても良い。
【００４３】
前述は、単に本発明の原理を示しているに過ぎない。記載された実施形態への様々な変形および代替が、本明細書中の教示を見た当業者には明らかであろう。当業者は、本明細書中に明示的に示されていない、または記載されていないが、本発明の原理を具体化し、よって本発明の目的および範囲内にある多くのシステム、配置および方法を考えることが可能であろう。上の記載および図面から、示され記載された特定の実施形態は例示する目的のみのものであり、本発明の範囲を制限することは意図されていないことは当業者には理解されるだろう。特定の実施形態の詳細の参照は、本発明の範囲を制限することは意図されていない。
【図１】
2011515995.tif 000003
【図２】
2011515995.tif 000004
【図３】
2011515995.tif 000005
【図４】
2011515995.tif 000006
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
少なくとも１つの電子デバイスを無線で制御するためのユーザ入力を受けるように構成されている回路と、
前記回路に電力を供給するために電気的に結合されている電源と、
前記少なくとも１つの電子デバイスの状態に基づいて前記回路の電力状態を制御するように構成されている電力状態コントローラ、
を含むリモートコントロールデバイス。
【請求項２】
前記電力状態コントローラは、前記少なくとも１つの電子デバイスに対応する制御対象の部分が使用中ではないとき、前記回路の少なくとも一部をスタンバイまたはオフパワー状態にするように構成されている、請求項１のデバイス。
【請求項３】
ユーザ入力を受けるように構成されている前記回路は、主電子デバイスを無線で制御するための回路および少なくとも１つの補助電子デバイスを無線で制御するための回路を含み、
前記電力状態コントローラは、前記主電子デバイスの状態に基づいて前記主電子デバイスを制御するための前記回路の電力状態を制御し、
前記少なくとも１つの補助電子デバイスの状態に基づいて前記少なくとも補助電子デバイスを制御するための前記回路の電力状態を制御するように構成されている、請求項１のデバイス。
【請求項４】
前記電力状態コントローラは、前記主電子デバイスを制御するための前記回路の少なくとも一部を、前記主電子デバイスの対応対象の制御される部分が使用中ではないとき、スタンバイまたはオフパワー状態にするように構成されている、請求項３のデバイス。
【請求項５】
前記電力状態コントローラは、前記少なくとも１つの電子デバイスの前記状態に関する情報を、前記少なくとも１つの電子デバイスの前記状態に関する情報のために前記少なくとも１つの電子デバイスをポーリングすることによって取得するように構成されている、請求項１のデバイス。
【請求項６】
前記電力状態コントローラは、前記少なくとも１つの電子デバイスの前記状態に関する情報のために前記少なくとも１つの電子デバイスを、前記回路の少なくとも一部がスタンバイまたはオフパワー状態の少なくとも１つであるとき、ポーリングするように構成されている、請求項５のデバイス。
【請求項７】
前記電力状態コントローラは、前記少なくとも１つの電子デバイスを周期的にポーリングするように構成されている、請求項６のデバイス。
【請求項８】
前記電力状態コントローラは、前記少なくとも１つの電子デバイスを、前記リモートコントロールデバイスがユーザによってコンタクトされているときにポーリングするように構成されている、請求項６のデバイス。
【請求項９】
少なくとも１つの電子デバイスを無線で制御するためにユーザ入力を受けるように構成されている回路を含むリモートコントロールデバイスの電力状態を制御する方法であって、
前記少なくとも１つの電子デバイスの状態を画定することと、
前記少なくとも１つの電子デバイスの前記画定された状態に基づいて前記リモートコントロールデバイスの前記回路の電力状態を制御すること、
を含む方法。
【請求項１０】
前記回路の前記電力状態を制御することは、前記回路の少なくとも一部を、前記少なくとも１つの電子デバイスの対応する制御される部分が使用中ではないと画定されたときに、スタンバイまたはオフパワー状態の少なくとも１つにすること、を含む請求項９の方法。
【請求項１１】
ユーザ入力を受けるように構成された前記回路は、主電子デバイスを無線で制御するための回路および少なくとも１つの補助電子デバイスを無線で制御するための回路を含み、前記回路の前記電力状態を制御することは、前記主電子デバイスの状態に基づいて前記主電子デバイスを制御するための前記回路の電力状態を制御すること、および前記少なくとも１つの補助電子デバイスの状態に基づいて前記少なくとも１つの補助電子デバイスを制御するための前記回路の電力状態を制御することを含む、請求項９の方法。
【請求項１２】
前記主電子デバイスを制御するために前記回路の前記電力状態を制御することは、前記主電子デバイスを制御するための前記回路の少なくとも一部を、前記主電子デバイスの対応する制御される部分が使用中ではないとき、スタンバイまたはオフパワー状態の少なくとも１つにすること、を含む請求項１１の方法。
【請求項１３】
さらに、前記少なくとも１つの電子デバイスの前記状態に関する情報を、前記少なくとも１つの電子デバイスの前記状態に関する情報のために前記少なくとも１つの電子デバイスをポーリングすることによって取得することを含む、請求項９の方法。
【請求項１４】
記少なくとも１つの電子デバイスの前記状態に関する情報のために前記少なくとも１つの電子デバイスをポーリングすることは、少なくとも前記回路の少なくとも一部がスタンバイまたはオフパワー状態の少なくとも１つであるときに実施される、請求項１３の方法。
【請求項１５】
前記少なくとも１つの電子デバイスをポーリングすることは、周期的に実施される、請求項１４の方法。
【請求項１６】
前記少なくとも１つの電子デバイスをポーリングすることは、少なくとも前記リモートコントロールデバイスがユーザによってコンタクトされているときに実施される、請求項１４の方法。
【国際調査報告】
2011515995.tif 000007
2011515995.tif 000008